(57)【要約】【課題】本発明は、表示パネルを搭載することができる第1のフレームセットを有する表示装置を提供することを課題とする。【解決手段】本発明の1つの実施例において、バックライトモジュール、表示パネル、第1のフレームセット及び少なくとも1つの粘着層を含む表示装置を提供する。第1のフレームセットは、少なくとも１つの搭載フレームを含む。搭載フレームは、第1の壁体及び第1の壁体に接続される搭載部を有する。搭載部は、表示パネルとバックライトモジュールとの間に位置するとともに、搭載面と搭載面に対向する底面とを有する。表示パネルは搭載面の上方に配置され、第1の壁体が底面からバックライトモジュールに向けて延在される。粘着層によって表示パネルと搭載面とが接着される。【選択図】図１Ｂ
2014006530.tif 000002
【特許請求の範囲】
【請求項１】
表示エリア及び側辺平面を有する表示パネルと、
バックライトモジュールと、
前記バックライトモジュールに接続される少なくとも1つの搭載フレームを含むとともに前記バックライトモジュールの外側に位置し、前記搭載フレームが第1の壁体及び前記第1の壁体に接続される搭載部を含み、前記搭載部が前記表示パネルと前記バックライトモジュールとの間に位置し且つ搭載面と前記搭載面に対向する底面とを有し、前記表示パネルが前記搭載面の上方に配置され、前記第1の壁体が前記底面から前記バックライトモジュールへ向けて延在される、第1のフレームセットと、
前記表示パネルと前記搭載面を接着する少なくとも1つの粘着層と、
を含むことを特徴とする表示装置。
【請求項２】
前記搭載面が内側辺縁と前記内側辺縁に対向する外側辺縁とを有し、前記表示パネルが前記搭載面の上方に配置されるとともに前記表示パネルが前記内側辺縁を遮蔽し、前記側辺平面が前記内側辺縁と前記外側辺縁との間に位置し、前記側辺平面と前記表示エリアとの距離、前記側辺平面と前記外側辺縁との間の距離、及び前記搭載面の前記内側辺縁と前記外側辺縁との間の長さの３者が以下の数式を満たすことを特徴とする請求項１に記載の表示装置。
【数１】
2014006530.tif 000005
（式中、Aは前記側辺平面から前記表示エリアまでの距離であり、Bは前記側辺平面と前記外側辺縁との間の距離であり、Dは前記搭載面の前記内側辺縁と前記外側辺縁との間の長さである。）
【請求項３】
前記第１の壁体は、前記搭載面の前記外側辺縁と相互に接続される外壁面を有することを特徴とする請求項２に記載の表示装置。
【請求項４】
前記搭載面が内側辺縁と前記内側辺縁に対向する外側辺縁とを有し、前記表示パネルが前記搭載面の上方に配置されるとともに前記表示パネルが前記内側辺縁を遮蔽し、前記側辺平面が前記内側辺縁と前記外側辺縁との間に位置し、前記側辺平面と前記表示エリアとの距離、前記側辺平面と前記外側辺縁との間の距離、及び前記搭載面の前記内側辺縁と前記外側辺縁との間の長さの３者が以下の数式を満たすことを特徴とする請求項１に記載の表示装置。
【数２】
2014006530.tif 000006
（式中、Aは前記側辺平面から前記表示エリアまでの距離であり、Bは前記側辺平面と前記外側辺縁との間の距離であり、Dは前記搭載面の前記内側辺縁と前記外側辺縁との間の長さである。）
【請求項５】
前記第１の壁体が上半部及び下半部を有し、前記上半部が前記搭載面に突出すとともに頂面及び内側平面を有し、前記内側平面と前記搭載面とが前記外側辺縁で相互に交わり、前記下半部が前記底面から前記バックライトモジュールへ向けて延在されることを特徴とする請求項１に記載の表示装置。
【請求項６】
前記搭載フレームの数量が複数であり、前記粘着層の数量が複数であり、各前記粘着層によって各前記搭載面がそれぞれ被覆されるとともに前記表示パネルと各前記搭載面とが接着されることを特徴とする請求項１に記載の表示装置。
【請求項７】
各前記搭載フレームが相互に接続されることを特徴とする請求項６に記載の表示装置。
【請求項８】
各前記搭載フレームが相互に分離されることを特徴とする請求項６に記載の表示装置。
【請求項９】
前記頂面と前記表示パネルの１つの平面とが実質的に切り揃えられ、前記表示エリアが前記平面に露出されることを特徴とする請求項５に記載の表示装置。
【請求項１０】
第2の壁体及び前記第2の壁体の一端に接続される上遮蔽板を含む少なくとも１つの組立フレームを含む組立フレームセットと、緩衝層と、を更に含み、前記表示パネルが前記バックライトモジュールと前記上遮蔽板との間に位置し、且つ前記緩衝層が前記表示パネルと前記上遮蔽板との間に位置することを特徴とする請求項１に記載の表示装置。
【請求項１１】
第2の壁体及び前記第2の壁体の一端に接続される上遮蔽板を含む少なくとも１つの組立フレームを含む組立フレームセットと、緩衝層と、を更に含み、前記表示パネルが前記バックライトモジュールと前記上遮蔽板との間に位置し、且つ前記緩衝層が前記表示パネルと前記上遮蔽板との間に位置することを特徴とする請求項５に記載の表示装置。
【請求項１２】
前記頂面と前記上遮蔽板の上遮蔽面とが実質的に切り揃えられることを特徴とする請求項１１に記載の表示装置。
【請求項１３】
前記搭載面に配置されるとともに、前記搭載部と前記側辺平面とを接着する少なくとも1つの固定接着材を更に含むことを特徴とする請求項１に記載の表示装置。
【請求項１４】
前記バックライトモジュールは、
前記第1の壁体に接続されるフレームベースセットと、
前記フレームベースセット内に配置される発光部材と、
を含むことを特徴とする請求項１に記載の表示装置。
【請求項１５】
前記フレームベースセットは、
ケースと、
上方に前記表示パネルが配置される少なくとも１つの搭載部材と、前記第1のフレームセットと前記発光部材との間に位置する第２のフレームセットとを含み、前記ケースに結合され、前記発光部材が内部に装着される、収容ホルダと、
を含むことを特徴とする請求項１４に記載の表示装置。
【請求項１６】
前記粘着層は、数量が複数であり、各前記粘着層によって前記表示パネル、前記搭載面及び前記搭載部材が接着されることを特徴とする請求項１５に記載の表示装置。
【請求項１７】
第1の壁体及び前記第1の壁体に接続され且つ搭載面を有する搭載部を含む少なくとも1つの搭載フレームと、バックライトモジュールとを接続させる工程と、
前記搭載面上に少なくとも1つの粘着層を形成する工程と、
前記粘着層上に表示パネルを置くことで、前記粘着層によって前記表示パネルと前記搭載部とを接着する工程と、
を含むことを特徴とする表示装置の組立方法。
【請求項１８】
前記粘着層によって前記表示パネルと前記搭載部とを接着した後、前記表示パネルと前記搭載部とを接着する少なくとも1つの固定接着材を前記搭載面上に形成する工程を更に含むことを特徴とする請求項１７に記載の表示装置の組立方法。
【請求項１９】
前記粘着層によって前記表示パネルと前記搭載部とを接着した後、少なくとも１つの組立フレームと前記バックライトモジュールとを相互に接続するとともに、上遮蔽板によって前記表示パネルを局部的に遮蔽する工程を更に含むことを特徴とする請求項１７に記載の表示装置の組立方法。
【発明の詳細な説明】
【技術分野】
【０００１】
本発明は、画像表示装置及びその組立方法に関し、特にバックライトモジュール（ｂａｃｋｌｉｇｈｔ  ｍｏｄｕｌｅ）を有する表示装置及びその組立方法に関する。
【背景技術】
【０００２】
現在最もよく知られている液晶ディスプレイ（Ｌｉｑｕｉｄ  Ｃｒｙｓｔａｌ  Ｄｉｓｐｌａｙ、ＬＣＤ）は、その多くが液晶パネル（ｌｉｑｕｉｄ  ｐａｎｅｌ）、バックライトモジュール、フレーム（ｆｒａｍｅ）及び筐体を含む。液晶パネルは、フレームとバックライトモジュールとの間に装着されるとともに、表示平面を有し、表示平面は表示エリアを有する。フレームによって、表示平面の周囲エリアが遮蔽されるとともに、表示エリアが露出される。
【０００３】
一般的に、フレームが表示エリアの周囲を露出することのないようにするため、筐体で液晶パネルを取り囲み、且つ通常、筐体によって表示平面の周囲エリアに位置するフレームが遮蔽される。また、筐体は通常、製品の設計を通じて特別な外観を有しており、それによって消費者の購買意欲の向上が試みられている。従って、筐体は、液晶パネルを保護する機能を有するだけでなく、外観を美化する効果をも有する。
【発明の概要】
【発明が解決しようとする課題】
【０００４】
本発明は、表示パネルを搭載することができる第１のフレームセットを有する表示装置を提供することを課題とする。
【課題を解決するための手段】
【０００５】
本発明の１つの実施例において、バックライトモジュール、表示パネル、第１のフレームセット及び少なくとも１つの粘着層を含む表示装置を提供する。表示パネルは表示エリアと非表示エリアとを有する。第１のフレームセットは、少なくとも１つの搭載フレームを含む。搭載フレームは、第１の壁体及び第１の壁体に接続される搭載部を有する。ここで、搭載部は、表示パネルとバックライトモジュールとの間に位置するとともに、搭載面と搭載面に対向する底面とを有する。表示パネルは搭載面の上方に配置され、第１の壁体が底面からバックライトモジュールに向けて延在される。それら粘着層によって表示パネルと搭載面とが接着される。
【０００６】
本発明は、上述した表示装置を製造するための表示装置の組立方法を更に提供する。
【０００７】
本発明の１つの実施例において、表示装置の組立方法を提供する。この組立方法においては、まず、少なくとも１つの搭載フレームとバックライトモジュールとを接続する。搭載フレームは、第１の壁体及び第１の壁体に接続される搭載部を含む。ここで、搭載部は搭載面を有する。次いで、搭載面において少なくとも１つの粘着層を形成する。この後、粘着層に表示パネルを設けることで、粘着層により表示パネルと搭載部とが接着される。
【発明の効果】
【０００８】
このように、本発明の実施例に係る表示装置において、表示パネルは粘着層を介して第１のフレームセットに接着される。従って、第１のフレームセットは、表示パネルを搭載することができ、表示パネルの表示エリア及び非表示エリアを遮蔽することがない。従来技術に比べ、本発明は製品設計の自由度を向上させることができ、それにより表示装置がより多様な外観を有することとなる。
【図面の簡単な説明】
【０００９】
【図１Ａ】本発明の第１の実施例に係る表示装置を示す平面図である。
【図１Ｂ】図１ＡのＰ−Ｐ線における断面を示した断面図である。
【図１Ｃ】図１Ａの表示装置を分解した後の状態を示す平面図である。
【図２Ａ】本発明の第２の実施例に係る表示装置を示す平面図である。
【図２Ｂ】図２ＡのＱ−Ｑ線における断面を示した断面図である。
【図２Ｃ】図２Ａの表示装置を分解した後の状態を示す平面図である。
【図３】本発明の第３の実施例に係る表示装置を示す断面図である。
【図４】本発明の第４の実施例に係る表示装置を示す断面図である。
【図５Ａ】図２Ａの表示装置の各工程における組立のフローを示す図である。
【図５Ｂ】図２Ａの表示装置の各工程における組立のフローを示す図である。
【発明を実施するための形態】
【００１０】
本発明の特徴及び技術内容をより深く理解することができるように、以下、本発明について図面を参照しながら詳細に説明する。但し、これら説明及び図面は本発明を説明するために用いるものに過ぎず、本発明の権利範囲を何ら制限するものではない。
【実施例】
【００１１】
図１Ａは、本発明の第１の実施例に係る表示装置を示す平面図である。図１Ｂは、図１ＡのＰ−Ｐ線における断面を示した断面図である。図１Ａ及び図１Ｂに示すように、表示装置１００は、表示パネル１２０、バックライトモジュール１７０、第１のフレームセット１１０及び複数の粘着層１４０を含む。表示パネル１２０はバックライトモジュール１７０の上方に位置する。第１のフレームセット１１０は、バックライトモジュール１７０の周囲、例えばバックライトモジュール１７０の外側に位置し、且つバックライトモジュール１７０と相互に接続される。
【００１２】
第１のフレームセット１１０は、バックライトモジュール１７０に接続される少なくとも１つの搭載フレーム１１１を含む。図１Ａを例にすると、第１のフレームセット１１０は、４つの搭載フレーム１１１を含む。しかしながら、他の実施例において、第１のフレームセット１１０に含まれる搭載フレーム１１１は、１つのみであってもよく、又は２つ、３つ若しくは４つ以上であってもよい。各搭載フレーム１１１は、第１の壁体１１１ｂ及び第１の壁体１１１ｂと相互に接続される搭載部１１１ａを含む。ここで、これらの搭載部１１１ａは、表示パネル１２０を搭載するのに用いられ、且つ表示パネル１２０と相互に接続される。
【００１３】
表示パネル１２０は、表示エリアＭ１及び非表示エリアＭ２を有する。このうち、非表示エリアＭ２は、表示エリアＭ１の周囲を取り囲む。表示パネル１２０における画像出力は表示エリアＭ１内で行われる。また、表示パネル１２０は液晶パネルであってもよいが、本発明は表示パネル１２０を液晶パネルのみに限定しない。
【００１４】
サイズの異なる様々な表示パネル１２０に対応すべく、これら搭載フレーム１１１の長さは、異なるサイズの表示パネル１２０の長さ及び幅に従って変更することが可能である。また、表示パネル１２０は、様々な形状に設計することができ、例えば表示パネル１２０の形状は、長方形板、正方形板、三角形板又は六辺形板であってもよい。これに基づいて、これらの搭載フレーム１１１の長さは表示パネル１２０の形状に従って変更することも可能である。
【００１５】
例えば図１Ａに示すように、表示パネル１２０の形状が長方形板である場合、そのうち２つの搭載フレーム１１１の長さは互いに同じであってもよく、そのうち１つの搭載フレーム１１１の長さは他の搭載フレーム１１１の長さと異なっていてもよい。従って、同一組の第１のフレームセット１１０は、二種類の異なる長さの搭載フレーム１１１を含んでもよい。当然ながら、表示パネル１２０の形状が正方形板又は三角形板である場合、同一組の第１のフレームセット１１０は、一種類の長さの搭載フレーム１１１のみを含んでもよい。
【００１６】
図１Ｂに示すように、各搭載部１１１ａは、搭載面Ｓ１及び搭載面Ｓ１に対向する底面Ｓ２を有する。このうち搭載面Ｓ１は、内側辺縁Ｓ１１及び内側辺縁Ｓ１１に対向する外側辺縁Ｓ１２を有する。第１の壁体１１１ｂは、底面Ｓ２からバックライトモジュール１７０へ向けて延在されるとともに、バックライトモジュール１７０に接している。また、第１の壁体１１１ｂは、外壁面Ｓ３を有する。外壁面Ｓ３と外側辺縁Ｓ１２とが相互接続されることで、第１の壁体１１１ｂが搭載面Ｓ１から突出しないようにする。
【００１７】
第１の壁体１１１ｂは、ロック固定の方法でバックライトモジュール１７０と相互に接続され、それによって搭載フレーム１１１がバックライトモジュール１７０に接続されるようにしてもよい。詳しく述べると、図１Ｂに示すように、表示装置１００では、ロック固定部材１８０を用いて第１の壁体１１１ｂとバックライトモジュール１７０とが結合されてもよく、ここでロック固定部材１８０はネジであってもよい。しかしながら、その他の実施例において、第１の壁体１１１ｂは、テープ接着又はホゾ接合を用いてバックライトモジュール１７０と相互に接続されるようにしてもよい。従って、本発明は、第１の壁体１１１ｂとバックライトモジュール１７０とを相互に接続する方法を限定するものではない。
【００１８】
表示パネル１２０は、搭載面Ｓ１の上方に配置され、且つ側辺平面１２１及び平面１２２と有する。ここで、表示エリアＭ１は平面１２２に露出される。本発明は、表示パネル１２０の形状を限定していないため、同様に側辺平面１２１の数も限定しない。また、表示パネル１２０は内側辺縁Ｓ１１を遮蔽しているが、側辺平面１２１が内側辺縁Ｓ１１と外側辺縁Ｓ１２との間に位置しているため、表示パネル１２０は外側辺縁Ｓ１２を遮蔽していない。即ち、表示パネル１２０は、局部的に搭載面Ｓ１を遮蔽している。
【００１９】
表示パネル１２０は、複数の粘着層１４０によって第１のフレームセット１１０の上方に固定されてもよい。詳しく述べると、これらの粘着層１４０は搭載面Ｓ１に被覆されるとともに、表示パネル１２０と搭載面Ｓ１とを接着させる。ここで、これら粘着層１４０は、固体接着材、液体接着材又はゲル状接着材であってもよい。例えば、上述した固体接着材は両面テープであってもよく、ゲル状接着材は例えば紫外光硬化接着剤である。
【００２０】
また、表示装置１００は、複数の固定接着材１６０を更に含んでもよい。固定接着材１６０は搭載面Ｓ１上に配置されるとともに、側辺平面１２１と搭載面Ｓ１との接着に用いられる。これにより、表示パネル１２０と第１のフレームセット１１０との間の結合強度を増強する。また、固定接着材１６０は、１つの面の側辺平面１２１に沿って分布されるようにしてもよい。ここで、固定接着材１６０の形状は、長細状（図１Ａに示す）であってもよく、点状であってもよい。
【００２１】
注意すべきは、第１の実施例において、固定接着材１６０の数は複数であるが、その他の実施例において、固定接着材１６０の数は１つのみであってもよいことである。また、表示装置１００の製品要求に基づいて、表示装置１００は固定接着材１６０を何ら必要としないようにしてもよい。従って、上述したように、図１Ａ及び図１Ｂに示す固定接着材１６０の形状及び数量は例示的に説明するために提供するものに過ぎず、本発明を限定するものではない。
【００２２】
図１Ｂに示すように、表示パネル１２０と第１のフレームセット１１０とが結合した場合、表示パネル１２０と第１のフレームセット１１０との間の結合強度を維持又は強化するために、表示装置１００の組立におけるサイズ規格上、以下の数式を満たす。
【数１】
2014006530.tif 000003
【００２３】
式中、Ａの定義は側辺平面１２１と表示エリアＭ１との間の距離Ａ１であり、Ｂの定義は側辺平面１２１と外側辺縁Ｓ１２との間の距離Ｂ１であり、Ｄの定義は搭載面Ｓ１の内側辺縁Ｓ１１と外側辺縁Ｓ１２との間の長さＤ１である。また、距離Ａ１は、側辺平面１２１から非表示エリアＭ２と表示エリアＭ１との境界箇所までの距離である。
【００２４】
バックライトモジュール１７０は、フレームベースセット１７１及び発光部材１７２を含み、且つ搭載部１１１ａと第１の壁体１１１ｂとの間に配置される。フレームベースセット１７１は第１の壁体１１１ｂに接続される。例えば、フレームベースセット１７１は、ロック固定、ホゾ接合又はテープ接着（例えばテープまたは流体接着剤を採用する）等の方法によって第１の壁体１１１ｂに接続される。
【００２５】
図１Ｂに示すように、フレームベースセット１７１は、ケース１７１ａ及びケース１７１ａと結合する収容ホルダ１７１ｂを含む。発光部材１７２は、導光板１７２ａ、複数の光学フィルム１７２ｃ及び光源１７２ｂを含む。光学フィルム１７２ｃは導光板１７２ａの上方に配置されるとともに、収容ホルダ１７１ｂ上に位置する。
【００２６】
また、表示エリアＭ１と非表示エリアＭ２との間の境界箇所、及び光学フィルム１７２ｃの縁部は、いずれも同一基準面Ｌ１に位置している。基準面Ｌ１と光学フィルム１７２ｃとの間の挟角Ａ３は２５°〜５０°の間であってよく、例えば４５°である。搭載部１１１ａは内側に向かって延在されてもよいが、基準面Ｌ１を超えない。また、収容ホルダ１７１ｂは第２のフレームセットＷ２を含む。第２のフレームセットＷ２に含まれるフレーム同士は相互に接続してもよく相互に分離してもよく、且つ第１のフレームセット１１０と発光部材１７２との間に位置する。
【００２７】
本実施例において、バックライトモジュール１７０はエッジライト方式バックライトモジュール（Ｓｉｄｅ  ｔｙｐｅ  Ｂａｃｋｌｉｇｈｔ  Ｍｏｄｕｌｅ）であってよい。図１Ｂに示すように、発光部材１７２は収容ホルダ１７１ｂ内に装着される。ここで、導光板１７２ａと光源１７２ｂは収容ホルダ１７１ｂ内に配置される。複数の光学フィルム１７２ｃは収容ホルダ１７１ｂ上に配置される。また、図１Ｂに示す光学フィルム１７２ｃの数は１枚のみであってよく、従って光学フィルム１７２ｃの数量は複数に限定されない。
【００２８】
光源１７２ｂは発光ダイオード（Ｌｉｇｈｔ−Ｅｍｉｔｔｉｎｇ  Ｄｉｏｄｅ、ＬＥＤ）であってよい。しかしながら、その他の実施例において、光源１７２ｂは、冷陰極蛍光灯（Ｃｏｌｄ−Ｃａｔｈｏｄｅ  Ｆｌｕｏｒｅｓｃｅｎｔ  Ｌａｍｐｓ、ＣＣＦＬｓ）であってもよく、本発明は光源１７２ｂを発光ダイオード又は冷陰極蛍光灯のみに限定しない。
【００２９】
図１Ｃは、図１Ａの表示装置を分解した後の状態を示す平面図であり、表示装置１００の搭載フレーム１１１と表示パネル１２０を示す。図１Ｃに示すように、複数の搭載フレーム１１１はそれぞれ表示パネル１２０の周囲を取り囲むとともに、表示パネル１２０に接続される。図１Ｃにおけるこれらの搭載フレーム１１１同士は相互に分離するとともに、共同で表示パネル１２０の周囲を取り囲んでいる。
【００３０】
しかしながら、その他の実施例において、第１のフレームセット１１０における少なくとも２つの搭載フレーム１１１は相互に接続されてもよい。例えば、第１のフレームセット１１０の４つの搭載フレーム１１１が互いに接続して、矩形フレームを形成するようにしてもよい。又は、第１のフレームセット１１０は互いに接続する３つの搭載フレーム１１１を含んでもよい。この３つの搭載フレーム１１１がＵ形フレームを形成するとともに、他の１つの搭載フレーム１１１と分離するようにしてもよい。また、そのうちの２つの搭載フレーム１１１が互いに接続して、Ｌ形フレームを形成するようにしてもよい。注意すべきことは、図１Ａ乃至図１Ｃに示す相互に分離した搭載フレーム１１１は例示的に説明するために提供するものに過ぎず、本発明を限定するものではないことである。
【００３１】
図２Ａは、本発明の第２の実施例に係る表示装置を示す平面図である。図２Ｂは、図２ＡのＱ−Ｑ線における断面を示した断面図である。第２の実施例の表示装置２００は第１の実施例の表示装置１００と構造が類似し、効果が同じであり、例えば表示装置１００と表示装置２００は同じくいずれも表示パネル１２０を含む。しかしながら、表示装置１００と表示装置２００とでは依然として相違点がある。以下、表示装置２００の各部材素子における第１の実施例との相違点について詳しく説明する。但し、同一の特徴については説明を省略する。
【００３２】
図２Ａ及び図２Ｂに示すように、第２の実施例の表示装置２００はバックライトモジュール２７０を含む。しかし、このバックライトモジュール２７０は第１の実施例におけるバックライトモジュール１７０とは異なっている。即ち、バックライトモジュール２７０は直下型方式バックライトモジュール（Ｄｉｒｅｃｔ  Ｔｙｐｅ  Ｂａｃｋ  ｌｉｇｈｔ  Ｍｏｄｕｌｅ）である。
【００３３】
図２Ｂに示すように、第２の実施例のバックライトモジュール２７０は発光部材２７２を含む。ここで、発光部材２７２は、複数の光学フィルム２７２ｃ及び複数の光源２７２ｂを含むが、発光部材２７２は導光板１７２ａを一切含まなくてもよい。
【００３４】
また、本実施例において、光源２７２ｂは冷陰極蛍光灯であってよく、光源２７２ｂの数は複数である。しかしながら、その他の実施例において、光源２７２ｂの数量は１つであってもよく、且つ光源２７２ｂは冷陰極蛍光灯であってよいだけでなく、発光ダイオード（図１Ｂに示す）であってもよい。従って、図２Ｂに示す光源２７２ｂの数量及び種類は例示的に説明するために提供するものに過ぎず、本発明を限定するものではない。
【００３５】
フレームベースセット２７１は、同様にケース２７１ａ及びケース２７１ａに結合される収容ホルダ２７１ｂを含む。収容ホルダ２７１ｂは、表示パネル１２０を搭載するための少なくとも１つの搭載部材Ｗ１を更に含んでもよい。詳しく述べると、粘着層１４０は搭載部材Ｗ１の表面上に被覆されるとともに、搭載部材Ｗ１と表示パネル１２０とを結合するのに用いられる。これにより、表示パネル１２０が搭載部材Ｗ１上に固定される。このように、収容ホルダ２７１ｂは表示パネル１２０を搭載するのに用いることも可能である。
【００３６】
注目すべきことは、搭載部材Ｗ１が第１のフィルム搭載部Ｗ１１を更に有してもよく、第２のフレームセットＷ２が第２のフィルム搭載部Ｗ２１を更に有してもよいことである。これに基づいて、光学フィルム２７２ｃは第１のフィルム搭載部Ｗ１１上と第２のフィルム搭載部Ｗ２１上に配置することができる。しかしながら、本発明は、搭載部材及び第２のフレームセットの設計に限定されない。
【００３７】
また、表示装置２００は、第１のフレームセット２１０を含むほか、更に組立フレームセット１３０を含む。例えば、図２Ａに示すように、第１のフレームセット２１０は３つの搭載フレーム２１１を含み、組立フレームセット１３０は１つの組立フレーム１３１を含む。第１のフレームセット２１０と組立フレームセット１３０は、共同でバックライトモジュール２７０の周囲を取り囲み、且つ組立フレームセット１３０はバックライトモジュール２７０と相互に接続される。
【００３８】
注目すべきことは、図２Ａにおいては、組立フレームセット１３０は１つの組立フレーム１３１のみを含むが、その他の実施例において、組立フレームセット１３０に含まれる組立フレーム１３１は２つ以上であってもよく、且つ組立フレームセット１３０は相互に接続される組立フレーム１３１を含んでもよく、相互に分離される組立フレーム１３１を含んでもよいことである。注意すべきことは、組立フレーム１３１は搭載フレーム２１１に交換することができることである。即ち、表示装置２００は必ずしも組立フレームセット１３０を含まなければならないわけではない。
【００３９】
搭載フレーム２１１は、第１の壁体２１１ｂ及び第１の壁体２１１ｂと相互に接続される搭載部２１１ａを含む。ここで、各搭載部２１１ａは、搭載面Ｓ３及び搭載面Ｓ３に対向する底面Ｓ４を有する。搭載面Ｓ３は、表示パネル１２０を搭載するのに用いられ、且つ表示パネル１２０と相互に接続される。
【００４０】
注意すべきことは、第１の壁体２１１ｂの上半部Ｐ１が搭載面Ｓ３から突出していることである。即ち、上半部Ｐ１は、搭載面Ｓ３から突出した凸部である。上半部Ｐ１は、頂面Ｐ１１及び内側平面Ｐ１２を有する。ここで、頂面Ｐ１１は平面であってもよく、曲面であってもよい。内側平面Ｐ１２は搭載面Ｓ３と相互に接続される。詳しく述べると、内側平面Ｐ１２と搭載面Ｓ３とは一線で相互に交わる。この線は外側辺縁Ｓ１２である。また、頂面Ｐ１１は、実質的に内側平面Ｐ１２に対して垂直であってよい。
【００４１】
上述した内容に基づいて、上半部Ｐ１が搭載面Ｓ３から突出しているため、上半部Ｐ１によって固定接着材２６０を阻止することができ、それにより接着材が溢れ出たり脱落する確率を低減し、ひいては固定接着材２６０の接着品質を維持又は向上させることが可能である。また、本実施例において、搭載フレーム２１１の頂面Ｐ１１と表示パネル１２０の平面１２２とはほぼ切り揃えられている。換言すれば、頂面Ｐ１１と平面１２２とはほぼ共平面となっている。
【００４２】
また、上半部Ｐ１は、製品の設計を通じて特別な外観を有することで、美化装飾の効果を達成することができる。例えば、上半部Ｐ１は、鋸歯状又は波状の壁体として設計してもよい。従来技術に比べ、表示装置２００は筐体を更に装着しなくてもよく、消費者の購買意欲を高めるために、第１のフレームセット２１０によって外観を美化する効果を向上させることもできる。従って、搭載フレーム２１１は、表示パネル１２０を搭載することができるほか、更に筐体の機能をも備えるため、従来の筐体に取って代わることができる。
【００４３】
図２Ｂに示すように、表示パネル１２０と第１のフレームセット２１０とが結合した場合、表示パネル１２０と第１のフレームセット２１０との間の結合強度を維持又は強化するために、表示装置２００の組立におけるサイズ規格上、以下の数式を満たす。
【数２】
2014006530.tif 000004
【００４４】
式中、Ａの定義は側辺平面１２１と表示エリアＭ１との間の距離Ａ２であり、Ｂの定義は側辺平面１２１と外側辺縁Ｓ１２との間の距離Ｂ２であり、Ｄの定義は搭載面Ｓ３の内側辺縁Ｓ１１と外側辺縁Ｓ１２との間の長さＤ２である。また、距離Ａ２は、側辺平面１２１から非表示エリアＭ２と表示エリアＭ１との境界箇所までの距離である。
【００４５】
組立フレーム１３１は、第２の壁体１３１ｂ及び上遮蔽板１３１ａを含む。上遮蔽板１３１ａは、第２の壁体１３１ｂの上端から表示パネル１２０へ向かって延在されるとともに、表示パネル１２０の一部を遮蔽する。第２の壁体１３１ｂ下端はバックライトモジュール２７０へ向かって延在され、且つロック固定部材１８０によってバックライトモジュール２７０と相互に接続される。また、サイズの異なる様々な表示パネル１２０に対応すべく、これら組立フレーム１３１の数量及び長さは、表示パネル１２０の設計に合わせて変更することが可能である。
【００４６】
また、表示装置２００は更に１つ又は複数の緩衝層１５０を含んでもよい。緩衝層１５０は、上遮蔽板１３１ａの下方に接着されるとともに、表示パネル１２０と上遮蔽板１３１ａとの間に位置し、これにより表示パネル１２０と上遮蔽板１３１ａとの間の衝突を低減することができる。緩衝層１５０は、発泡テープ等の軟性材料であってよいが、本発明は緩衝層１５０の材質を限定しない。
【００４７】
図２Ａ及び図２Ｂに示すように、表示装置１２０は、複数の固定接着材２６０によって第１のフレームセット２１０の上方に配置されてもよい。固定接着材２６０は搭載面Ｓ３上に配置されるとともに、側辺平面１２１と搭載面Ｓ３とを接着する。これら固定接着材２６０は、形状が点状であってもよく、１つの側辺平面１２１に沿って分布される。ここで、固定接着材２６０は、第１の実施例における固定接着材１６０の材料と同一であってもよい。また、注意すべきことは、各種表示装置の製品要求に基づいて、表示装置２００は固定接着材２６０を何ら必要としないようにしてもよいことである。従って、上述したように、図２Ａ及び図２Ｂに示す固定接着材２６０は例示的に説明するために提供するものに過ぎず、本発明を限定するものではない。
【００４８】
図２Ｃは、図２Ａの表示装置を分解した後の状態を示す平面図であり、表示装置２００の搭載フレーム２１１と表示パネル１２０を示す。図２Ｃには、第１のフレームセット２１０、組立フレームセット１３０及び表示パネル１２０が示される。第１の実施例の第１のフレームセット１１０と異なり、第１のフレームセット２１０は、３つの相互に接続される搭載フレーム２１１から成るＵ形フレームである。第１のフレームセット２１０は、表示パネル１２０の３つの相互に接続される側辺平面１２１を取り囲むとともに、表示パネル１２０に接続される。表示パネル１２０の他の側辺平面１２１は、組立フレームセット１３０に対応する。ここで、組立フレームセット１３０は少なくとも１つの組立フレーム１３１を含んでもよい。
【００４９】
特筆すべきは、図２Ｃに示すように、第１のフレームセット２１０と組立フレームセット１３０は、相互に分離するとともに、共同で表示パネル１２０の周囲を取り囲むフレームセットであるが、その他の実施例において、第１のフレームセット２１０と組立フレームセット１３０同士は相互に接続されて１つのフレームセットを形成するようにしてもよいことである。従って、図２Ｃの第１のフレームセット２１０と組立フレームセット１３０の組立形式は例示的に説明するために提供するものに過ぎず、本発明を限定するものではない。
【００５０】
本実施例においては、組立フレーム１３１の数は１つのみである。しかしながら、その他の実施例においては、組立フレーム１３１の数は複数であってもよい。組立フレームセット１３０が複数の組立フレーム１３１を含む場合、それらの組立フレーム１３１は相互に接続してもよく相互に分離してもよい。また、表示装置２００の製品要求に基づいて、組立フレーム１３１は更に図１Ａに示す搭載フレーム１１１と交換してもよい。従って表示装置２００は組立フレームセット１３０を何ら必要としなくてもよい。
【００５１】
図３は、本発明の第３の実施例に係る表示装置を示す断面図である。第３の実施例の表示装置３００は第２の実施例の表示装置２００と類似し、表示装置３００もバックライトモジュールを含み、このバックライトモジュールの発光部材は発光部材１７２又は発光部材２７２であってもよい。しかしながら、表示装置２００と表示装置３００とでは依然として相違点がある。その相違点は主として、第３の実施例の上半部Ｐ３が第２の実施例の上半部Ｐ２とは異なることである。
【００５２】
第３の実施例の表示装置３００が第２の実施例の表示装置２００と類似していることに鑑み、図３には表示装置３００における表示装置２００との相違がある箇所のみを示す。以下、図３を用いて上記相違がある箇所を説明する。表示装置３００における表示装置２００と同じ特徴については説明を省略する。
【００５３】
図３に示すように、第１の壁体２１１ｂの上半部Ｐ３は、頂面Ｐ２１及び斜面Ｐ２３を有する。頂面Ｐ２１と斜面Ｐ２３の間には角度Ａ４を有し、角度Ａ４は９０°より大きい。頂面Ｐ２１の幅は０．５ミリメートル（ｍｍ）から３ミリメートル（ｍｍ）の間であってよい。また、上遮蔽板１３１ａは、上遮蔽面Ｅ１を有する。ここで、図３に示すように、頂面Ｐ２１は上半部Ｐ３の最も高い箇所の面であり、上遮蔽面Ｅ１とほぼ共平面となっている。
【００５４】
しかしながら、注意すべきことは、本実施例においては、第１の壁体２１１ｂの上半部Ｐ３は頂面Ｐ２１及び斜面Ｐ２３を有しているが、その他の実施例においては、第１の壁体２１１ｂの上半部Ｐ３は斜面Ｐ２３を有しなくてもよいことである。従って、図３における上半部Ｐ３は例示的に説明するために提供するものに過ぎず、本発明を限定するものではない。
【００５５】
図４は、本発明の第４の実施例に係る表示装置を示す断面図である。第４の実施例の表示装置４００は第３の実施例の表示装置３００と類似し、表示装置４００もバックライトモジュールを含み、その発光部材も同様に発光部材１７２又は発光部材２７２であってもよい。しかしながら、表示装置４００と表示装置３００とでは依然として相違点がある。その相違点は主として、第４の実施例の上半部Ｐ５が第３の実施例の上半部Ｐ３とは異なることである。
【００５６】
第４の実施例の表示装置４００が第３の実施例の表示装置３００と類似していることに鑑み、図４には表示装置４００における表示装置３００との相違がある箇所のみを示す。以下、図４を用いて上記相違がある箇所のみを説明する。表示装置４００における表示装置３００と同じ特徴については説明を省略する。
【００５７】
図４に示すように、第１の壁体３１１ｂの上半部Ｐ５は、バックライトモジュール１７０に接していなくてもよく、バックライトモジュール１７０との間には空洞Ｃ１が形成される。また、第１の壁体３１１ｂの上半部Ｐ５は、傾斜した曲面である頂面Ｐ３１を有するとともに、頂縁部Ｐ３３を有する。ここで、頂縁部Ｐ３３は上半部Ｐ５の最も高い箇所の縁部である。また、頂面Ｐ３１の頂縁部Ｐ３３と平面１２２とは実質的に切り揃えられている。即ち、上半部Ｐ５の最も高い箇所の縁部は平面１２２と共平面となっている。ここで、表示エリアＭ１は平面１２２に露出される。
【００５８】
しかしながら、注意すべきことは、図４に示す実施例においては、頂面Ｐ３１は傾斜した曲面であるが、その他の実施例においては、頂面Ｐ３１は傾斜した平面であってもよく、且つ頂面Ｐ３１の頂縁部Ｐ３３は依然として平面１２２と実質的に切り揃えられていてもよいことである。従って、図４における頂面Ｐ３１の形式は例示的に説明するために提供するものに過ぎず、本発明を限定するものではない。
【００５９】
図１Ａ乃至図４を用いて、表示装置１００、２００、３００及び４００の構造を詳しく説明する。次いで、図５Ａ及び図５Ｂを用いて、本発明の１つの実施例における表示装置の組立方法を詳しく説明する。表示装置１００、２００、３００及び４００の組立方法はほぼ同じであるため、以下、第２の実施例の表示装置２００のみを例として、表示装置２００の組立方法を詳しく説明する。
【００６０】
図５Ａ及び図５Ｂは、図２Ａの表示装置の各工程における組立のフローを示す図である。図５Ａに示すように、表示装置２００の組立方法においては、まず、複数の搭載フレーム２１１とバックライトモジュール２７０とを接続させる。ここで第１の壁体２１１ｂがバックライトモジュール２７０に接続される。この接続を達成する方法は、ロック固定、係止接合又はテープ接着等であってもよい。また、本実施例において、搭載フレーム２１１は、ケース２７１ａに接続されてもよく、収容ホルダ２７１ｂに接続されてもよい。
【００６１】
図５Ｂに示すように、次いで、搭載面Ｓ３上及び収容ホルダ２７１ｂの搭載部材Ｗ１上のいずれにも粘着層１４０を形成する。ここで、粘着層１４０を形成する方法は、両面テープを搭載面Ｓ３及び搭載部材Ｗ１の上に貼合する方法であってもよい。しかしながら、注意すべきことは、第１のフレームセット２１０は搭載フレーム２１１のみを含んでもよく、収容ホルダ２７１ｂは搭載部材Ｗ１を一切有しなくてもよいため、第１のフレームセット２１０は表示パネル１２０を単独で搭載できることである。従って、収容ホルダ２７１ｂが搭載部材Ｗ１を一切有しない場合、粘着層１４０は搭載フレーム２１１上にのみ形成され、搭載部材Ｗ１上には形成されなくてもよい。
【００６２】
次いで、複数の粘着層１４０上に表示パネル１２０を置き、粘着層１４０によって表示パネル１２０、搭載部２１１ａ及び搭載部材Ｗ１を接着する。このれにより、表示パネル１２０をバックライトモジュール２７０の上方に固定することができる。これで表示装置２００の組立がほぼ完了する。
【００６３】
次いで、図２Ｂに示すように、粘着層１４０によって表示パネル１２０と複数の搭載フレーム２１１を接着した後、複数の搭載面Ｓ３上に固定接着材２６０を形成することができる。固定接着材１６０によって表示パネル１２及び搭載部２１１ａを接着する。ここで、固定接着材２６０は塗布（ｃｏａｔｉｎｇ）方法で搭載面Ｓ３に形成されてもよい。その塗布はディスペンサで行ってもよいが、本発明はそれに限定しない。
【００６４】
固定接着材２６０を形成した後、組立フレームセット１３０とバックライトモジュール２７０とを接続させるとともに、上遮蔽板１３１ａが表示パネル１２０を局部的に遮蔽するようにする。ここで、第２の壁体１３１ｂがバックライトモジュール２７０に接続される。この接続を達成する方法は、ロック固定、係止接合又はテープ接着等であってもよい。本実施例において、第２の壁体１３１ｂは、ケース２７１ａに接続されてもよく、収容ホルダ２７１ｂに接続されてもよい。また、組立フレーム１３１とバックライトモジュール２７０とが接続される前に、緩衝層１５０を予め上遮蔽板１３１ａに形成してもよい。緩衝層１５０を形成する方法は、発泡テープ等の軟性材料を上遮蔽板１３１ａに貼合する方法であってよい。
【００６５】
注目すべきことは、本発明の実施例の表示装置が必ずしも組立フレームセット１３０を含む必要がないため、本実施例の組立方法は組立フレームセット１３０とバックライトモジュール２７０とを接続させる工程を省略することができることである。また、固定接着材２６０を形成する工程も、組立フレームセット１３０とバックライトモジュール２７０とを接続させた後に行うことができるため、固定接着材２６０を形成することと、組立フレームセット１３０とバックライトモジュール２７０とを接続させることについて、ここでは時間的順序を限定しない。
【００６６】
以上に述べたように、表示パネルが粘着層を介して第１のフレームセットに接着されるため、搭載フレームによって表示パネルを搭載することができ、ひいては表示パネルの表示エリア及び非表示エリアが遮蔽されることがない。即ち、第１のフレームセットは表示パネルの表示エリア及び非表示エリア内に露出されることがない。従って、従来技術に比べ、筐体によって表示平面の周囲エリアに位置するフレームが遮蔽される問題がないため、本発明は製品設計の自由度を向上させることができ、それにより表示装置がより多様な外観を有することとなり、ひいては製品外観を美化する効果を向上させることができる。
【００６７】
上記は本発明の実施例に過ぎず、本発明の範囲を限定するものではない。同様に技芸に習熟するものは、本発明の主旨及び範囲を逸脱しない限りにおいて、種々の修正又は変更など等価の置換を施すことができ、そうした等価の置換は依然としてすべて本発明の範囲に含まれる。
【符号の説明】
【００６８】
１００、２００、３００、４００  表示パネル       
１１０、２１０  第１のフレームセット
１１１、２１１  搭載フレーム          
１１１ａ、２１１ａ  搭載部
１１１ｂ、２１１ｂ、３１１ｂ  第１の壁体      
１２０  表示パネル
１２１  側辺平面                      
１２２  平面
１３０  組立フレームセット            
１３１  組立フレーム
１３１ａ  上遮蔽板                    
１３１ｂ  第２の壁体
１４０  粘着層                        
１５０  緩衝層
１６０、２６０  固定接着材        
１７０、２７０  バックライトモジュール
１７１、２７１  フレームベースセット      
１７１ａ、２７１ａ  ケース
１７１ｂ、２７１ｂ  収容ホルダ        
１７２、２７２  発光部材
１７２ａ  導光板                                         
１７２ｂ、２７２ｂ  光源
１７２ｃ、２７２ｃ  光学フィルム      
１８０  ロック固定部材
Ａ１、Ａ２、Ｂ１、Ｂ２  距離          
Ｄ１、Ｄ２  長さ
Ａ３  挟角                            
Ａ４  角度
Ｃ１  空洞                            
Ｅ１  上遮蔽面
Ｌ１  基準面                          
Ｍ１  表示エリア
Ｍ２  非表示エリア                    
Ｐ１、Ｐ３、Ｐ５  上半部
Ｐ１１、Ｐ２１、Ｐ３１  頂面          
Ｐ１２  内側平面
Ｐ２  下半部                          
Ｐ２３  斜面
Ｐ３３  頂縁部                        
Ｓ１、Ｓ３  搭載面
Ｓ１１  内側辺縁                      
Ｓ１２  外側辺縁
Ｓ２、Ｓ４  底面                      
Ｓ３  外壁面
Ｗ１  搭載部材       
Ｗ１１  第１のフィルム搭載部
Ｗ２  第２のフレームセット            
Ｗ２１  第２のフィルム搭載部
【図１Ａ】
2014006530.tif 000007
【図１Ｂ】
2014006530.tif 000008
【図１Ｃ】
2014006530.tif 000009
【図２Ａ】
2014006530.tif 000010
【図２Ｂ】
2014006530.tif 000011
【図２Ｃ】
2014006530.tif 000012
【図３】
2014006530.tif 000013
【図４】
2014006530.tif 000014
【図５Ａ】
2014006530.tif 000015
【図５Ｂ】
2014006530.tif 000016